(57)【特許請求の範囲】
【請求項１】
階段の蹴込み板を保護する方法であって、
階段の各蹴込み板の幅に略合致し、蹴上げ寸法より若干小さく形成されるとともに、その長手方向に沿った一側辺に、帯板状の弾性体が設けられた保護板を、階段の段板上に設けるとともに、この段板上の段板の段鼻と保護板との間で弾性体を弾性変形させ、これによって段板上に設けた保護板を付勢固定して階段の蹴込み板を保護することを特徴とする階段蹴込み板の保護方法。
【発明の詳細な説明】
【０００１】
【発明の属する技術分野】
本発明は、住宅建物内の階段の蹴込み板を、客に引き渡すまでの間、保護しておく方法に関するものである。
【０００２】
【従来の技術】
従来より、建物を建築する場合、職人は、靴やスリッパを履いたまま建物内の階段を昇ったり降りたりしていた。したがって、図４に示すように、建築途中の階段ａの蹴込み板ｂおよび段板ｃは、ダンボール紙やベニヤ板などの保護材ｄを、これら蹴込み板ｂや段板ｃのサイズに切断して被覆し、テープｅで止めていた。これによって階段ａは、引き渡し時まで汚れないように保護するようになされていた。
【０００３】
【発明が解決しようとする課題】
しかし、上記従来のようにダンボール紙やベニヤ板などを、蹴込み板ｂや段板ｃのサイズに切断したりする場合、手間がかかるといった不都合を生じる。
【０００４】
また、テープｅを剥がした跡の蹴込み板ｂや段板ｃには、テープｅの粘着剤が一部残ってしまい、これら粘着剤に周囲の汚れが付着して、蹴込み板ｂや段板ｃが汚れ易くなってしまう。そのため、蹴込み板ｂや段板ｃに貼るテープｅの貼りしろをできるだけ小さくしたり、粘着力の小さいテープｅを使用することが考えられるが、この場合、テープｅが作業中に剥がれ易くなり、見た目が悪くなるとともに、剥がれたダンボール紙やベニヤ板によって足元が悪くなるといった不都合を生じる。
【０００５】
さらに、ダンボール紙やベニヤ板をその都度切断してテープｅで貼り付ける場合、使い回しができず、使い捨てになってしまう。
【０００６】
本発明は、係る実情に鑑みてなされたものであって、反復利用ができ、簡単かつ綺麗に装着することができるとともに、安全に使用することが可能な階段蹴込み板の保護方法を提供することを目的としている。
【０００７】
【課題を解決するための手段】
上記課題を解決するための本発明の階段蹴込み板の保護方法は、階段の蹴込み板を保護する方法であって、階段の各蹴込み板の幅に略合致し、蹴上げ寸法より若干小さく形成されるとともに、その長手方向に沿った一側辺に、帯板状の弾性体が設けられた保護板を、階段の段板上に設けるとともに、この段板上の段板の段鼻と保護板との間で弾性体を弾性変形させ、これによって段板上に設けた保護板を付勢固定して階段の蹴込み板を保護するものである。
【０００９】
保護板に設けられた弾性体の弾性力によって保護板を段板上に付勢固定し、これによって階段の各蹴込み板を保護するので、テープなどの粘着剤を使用することなく保護板を取り付けることができる。また、弾性力によるため、着脱が容易で反復利用が可能となる。
【００１０】
【発明の実施の形態】
以下、本発明の実施の形態を図面を参照して説明する。
【００１１】
図１および図２は階段１の蹴込み板１１を保護した状態を示している。
【００１２】
すなわち、この蹴込み板１１の保護方法は、段板１２上に設けた保護板２を、この保護板２に設けた弾性体２０の弾性力によって、段板１２上に付勢固定して階段１の蹴込み板１１を保護するものである。
【００１３】
保護板２は、階段１の蹴込み板１１の幅に略合致するか若干短い幅に形成されている。また、高さは、階段１の蹴上げ寸法よりも若干小さい高さに形成されている。この保護板２は、プラスチックダンボールを含む樹脂板、鋼板、合板、その他、各種の材質からなるものを使用することができる。ただし、保護板２は、弾性体２０によって付勢固定されるため、この弾性体２０による付勢力に耐えうる材質のものであることが好ましい。この保護板２の大きさは、特に限定されのものではないが、通常の階段１は、メートルまたは尺を規格寸法とした幅となされており、蹴上げ寸法、跨ぎ寸法についても、規格寸法が設けられている場合がほとんどである。したがって、保護板２は、反復利用可能な材質のものを使用して規格寸法を基準にして形成したものを使用する。
【００１４】
この保護板２には、図１に示すように、作業環境における安全を促す標語など３が記載されていてもよい。また、この保護板２の長手方向に沿った一側辺２１には、弾性体２０が設けられる。
【００１５】
弾性体２０は、帯板状に形成されたゴムなどの弾性シートからなる。この弾性体２０は、保護板２０の長手方向に沿った一側辺２１と少し重ね合わせた状態で貼設一体化され、この保護板２の一側辺２１からはみ出した状態となされている。
【００１６】
この保護板２は、蹴込み板１１の表面を覆うように、長手方向に沿った他側辺２２を、階段１の段板１２の上に当接する。そして、保護板２の一側辺２１を、この保護板２を設けた段板１２よりも一段上の段板１２の段鼻１３の下に嵌め込む。これにより、保護板２の一側辺２１に設けられた弾性体２０は、この保護板２の一側辺２１と段鼻１３との間に折り曲げられた状態で圧縮されることとなる。保護板２は、この弾性体２０の圧縮による弾性力で、段板１２上に付勢固定されることとなり、蹴込み板１１は、この保護板２によって保護されることとなる。
【００１７】
この保護板２による、蹴込み板１１の保護の方法の場合、保護板２は、弾性体２０による付勢固定によって固定しているので、容易に着脱して反復利用することができる。また、弾性体２０による付勢固定なので、テープなどで固定したときのように、テープを剥がした跡が残ることもなく、綺麗に着脱することができる。さらに、保護板２が外れた場合であっても、弾性体２０による付勢固定によって簡単に付け直すことができるので、外れかけた保護板２によって足元が悪くなるといったことも防止できる。
【００１８】
なお、段板１２上は、従来と同様にダンボール紙やベニヤ板などの保護材４が被覆される。
【００１９】
また、本実施の形態では、弾性体２０は、保護板２と、段鼻１３との間で弾性力が働くようになされているが、図３に示すように、保護板２と、階段１の側板１４との間で弾性力が働くように構成されたものであってもよい。
【００２０】
【発明の効果】
以上述べたように、本発明によると、テープを使用することなく弾性体の弾性力によって付勢固定しているため、着脱による反復利用ができる。また、固定跡も残らず綺麗に着脱することができる。さらに、弾性力によって付勢固定しているため、テープによって止める場合のように、貼り付ける基材によって剥がれ易くなるといったこともなく安全性を確保することができる。
【図面の簡単な説明】
【図１】本発明に係る階段蹴込み板固定方法における施工完了状態を示す斜視図である。
【図２】図１の施工完了状態における部分断面図である。
【図３】（ａ）は本発明に係る階段蹴込み板固定方法の他の実施の形態を示す正面図、（ｂ）は同図（ａ）におけるI-I 線断面図である。
【図４】従来の階段の保護方法を示す部分斜視図である。
【符号の説明】
１  階段
１１  蹴込み板
１２  段板
１３  段鼻
２  保護板
２０  弾性体
２１  一側辺
【図１】
0003857013.tif 000002
【図２】
0003857013.tif 000003
【図３】
0003857013.tif 000004
【図４】
0003857013.tif 000005